(57)【要約】【課題】Ｙシャツやブラウス等のボタンを装飾として活用できるように、簡単に付け替えができ、またこれまで装着できなかった大型、長尺或いはひも状などの装飾も使えるようにするための簡易着脱装飾ボタンと専用のシャツを提供する。【解決手段】Ｙシャツやブラウスなどに取り付けたい装飾と通常のボタンを糸等で結束する。シャツ本体は、通常ボタンが付いているところにもボタンホールを設ける。装飾と結束したボタンをシャツの表側から左右両方の前身頃のボタンホールへ通すことにより、ボタン留めを行う。同様に、袖の部分も通常のボタンやカフスに代えて、簡易着脱装飾ボタンを使うことにより、シャツ全体のボタンの装飾を一体化することができる。【選択図】図９
2014000136.tif 000002
【特許請求の範囲】
【請求項１】
ボタン部と装飾部が、糸等で結束された簡易着脱装飾ボタン。
【請求項２】
簡易着脱装飾ボタンの装飾部が、ボタンホールより大型のもの。
【請求項３】
簡易着脱装飾ボタンの装飾部が、ボタンホールより長い長尺のもの。
【請求項４】
簡易着脱装飾ボタンの装飾部が、特にひもやチェーンで他の複数のボタン部と連結されたもの。
【請求項５】
簡易着脱装飾ボタンの装飾部が、電飾、ガラス、腐食や変色する金属など、従来ボタンに使用できなかった材質を使用したもの。
【請求項６】
シャツの表面側からボタンホールの裏側へボタン部を差し入れることによって左右前身頃のボタン留めを行う簡易着脱装飾ボタン。
【請求項７】
シャツ袖口部のボタンホール２つ以上を特にひも状の装飾でボタン部をつないだ簡易着脱装飾ボタン。
【請求項８】
簡易着脱装飾ボタンを装着するため、通常のボタンの代わりにボタンホールが設けられているシャツ。
【発明の詳細な説明】
【技術分野】
【０００１】
本発明は、Ｙシャツ、ブラウス等のボタン留めシャツに装着する簡易着脱装飾ボタンと、当該ボタンを装着するシャツに関する。
【背景技術】
【０００２】
従来シャツやブラウス等に使われているボタンは、シャツ生地に糸等で固定されており、頻繁に付け替えることは想定されていなかった。また、ボタンは、固定されていない側のシャツ生地の裏側からボタンホールを通過させることにより、左右のシャツ前身頃を固定させていた。尚、シャツの袖口用としてカフスボタンが従来からあるが、シャツの袖口で単体として使われることに限定されていた。
【発明の概要】
【発明が解決しようとする課題】
【０００３】
これには、以下の問題があった。
【０００４】
従来の前身頃のボタンは、シャツに糸などで固定されているため、装飾を変える目的で、ボタンを頻繁に付け替えることははなった。
【０００５】
従来の前身頃のボタンは、ボタンを、ボタンホールの裏側から表へ通すことにより、左右前身頃をボタン留めしていたため、ボタンのサイズは、ボタンホールより小さくなくなっていた。そのため、シャツ表面に露出する部分を、ボタンホールより大きくすることはできなかった。同様に、長尺のものや、シャツ表面に露出する装飾部がシャツの上から下までつながったチェーンやひも状のものを使うことはできなかった。
【０００６】
従来の前身頃のボタンは、シャツに固定されているため、ボタン材質は、貝やプラスチックなど洗濯などに耐えられるものに限定されていた。ガラスなど壊れやすい材質のものや、高価な材質、錆や変色する材質、鳥の羽など変形しやすい材質、紙や電飾など洗濯に耐えられないものを、ボタンとして使うことはできなかった。
【０００７】
カフスボタンはあるが、左右の袖口それぞれ一箇所での使用であり、また複数のボタンホールをひもやチェーン状のものでつなぐ装飾はなかった。また、前身頃の装飾ボタンと関連された装飾を用いることも想定されていなかった。
【課題を解決するための手段】
【０００８】
従来のボタンと装飾部を、特に糸のようなひもや金属の輪で連結する（図2、3、4、5）。シャツは、従来ボタンが糸などで固定されていた場所にもボタンホールを設ける。シャツからは、ボタンがなくなり、左右両側の前身頃に、ボタンホールのみがある状態となる（図7）。ボタン留めを行う際は、装飾部と連結されたボタンを、シャツの表側から裏側へとボタンホールを通過させることにより、シャツの左右前身頃を固定させる。以上からなる簡易着脱装飾ボタンと簡易着脱装飾ボタン用シャツである。
【発明の効果】
【０００９】
装飾ボタンは、シャツに固定されていないため、頻繁に付け替えることが可能で、服装の装飾性を向上させることができる。
【００１０】
ボタンは、シャツの表面からボタンホールを通すため、シャツ表面に露出する装飾部は、ボタンホールの大きさに制限されなくなり、装飾部を大型、長尺或いはひも状のものとすることが可能となる。そのため、装飾の自由度が高まる。
【００１１】
ひもやチェーン状の装飾を除き、シャツ表面に露出する装飾部は、各々独立したものを使用することが可能であるため、全く関連性のない装飾の組み合わせや、逆にストーリー性のある組み合わせの装飾をシャツ表面に掲出することができる。
【００１２】
簡易着脱装飾ボタンは、シャツを着る際に取り付けることとなるため、材質としては、従来のボタンでは使用できなかった壊れやすいものや、錆や変色の恐れがあるものも使用可能となる。
【００１３】
簡易着脱装飾ボタン用シャツは、ボタンが一切固定されていないため、シャツの製造工程において、省力化、省資源を図ることができる。また、アイロン掛けも容易となる。
【００１４】
簡易着脱装飾ボタンは、シャツに固定されていないため、一つのシャツではなく、複数のシャツで使いまわしが可能である。
【図面の簡単な説明】
【００１５】
【図１】本発明の斜視図である。簡易着脱装飾ボタンの装飾部が前面に出ており、裏側にボタン部が取り付けられている。
【図２】本発明の側面図である。
【図３】本発明の背面図である。
【図４】本発明のひも状装飾の例で、装飾部側からの図である。
【図５】本発明のひも状装飾の例で、ボタン部側からの図である。
【図６】本発明の長尺装飾の例で、装飾部側からの図である。
【図７】本発明のシャツに関する図である。
【図８】本発明の簡易着脱装飾ボタンを、専用のシャツに取り付けた図である。
【図９】本発明の簡易着脱装飾ボタンのひも状の装飾例を、専用のシャツに取り付けた図である。
【図１０】本発明の簡易着脱装飾ボタンのひも状の装飾例を、専用シャツの袖口に取り付けた図である。
【図１１】本発明の簡易着脱装飾ボタンで、図9とは異なるひも状の装飾例を、専用シャツに取り付けた図である。
【符号の説明】
【００１６】
1は簡易着脱装飾ボタンの装飾部、2は簡易着脱装飾ボタンのボタン部、3は装飾部とボタン部を連結している糸、4は簡易着脱装飾ボタンのひも状装飾、5は簡易着脱装飾ボタンの長尺装飾、6は簡易着脱装飾ボタン用シャツのボタンホール、7は簡易着脱装飾ボタン用シャツの前身頃、8はシャツカラー部に装着した簡易着脱装飾ボタン、9はシャツ袖部に装着した簡易着脱装飾ボタン、10は簡易着脱装飾ボタンをシャツ前身頃に取り付けた装飾例、11はシャツのカラー部用簡易着脱装飾ボタン、12はシャツ袖部用簡易着脱装飾ボタン、13は簡易着脱装飾ボタンの前身頃用ひも状装飾、14は簡易着脱装飾ボタンの袖用ひも状装飾、15は13とは異なるひも状装飾例。
【図１】
2014000136.tif 000003
【図２】
2014000136.tif 000004
【図３】
2014000136.tif 000005
【図４】
2014000136.tif 000006
【図５】
2014000136.tif 000007
【図６】
2014000136.tif 000008
【図７】
2014000136.tif 000009
【図８】
2014000136.tif 000010
【図９】
2014000136.tif 000011
【図１０】
2014000136.tif 000012
【図１１】
2014000136.tif 000013